(57)【要約】【課題】多数枚の用紙とともに綴じたときにその全ページをめくるフリップ動作をより容易に行い得るような仕切カードユニットを提供する。【解決手段】相互に異なった位置に山見出しを有する所定枚数の仕切カードを具備する仕切カードユニットであって、前記仕切カードを重ね合わせた状態で、複数枚の仕切カードの山見出しが一定の配列ピッチで隣接配置される第一領域と、他の複数枚の仕切カードの山見出しが一定の配列ピッチで隣接配置される第二領域とが形成され、かつ前記第一領域と前記第二領域との間に、前記山見出しの配列ピッチと異なった値に設定された隙間が形成されるように、前記各山見出しの位置及び寸法が設定されている仕切カードユニットを構成した。【選択図】図２
2018069555.tif 000002
【特許請求の範囲】
【請求項１】
相互に異なった位置に山見出しを有する所定枚数の仕切カードを具備する仕切カードユニットであって、
前記仕切カードを重ね合わせた状態で、複数枚の仕切カードの山見出しが一定の配列ピッチで隣接配置される第一領域と、他の複数枚の仕切カードの山見出しが一定の配列ピッチで隣接配置される第二領域とが形成され、かつ前記第一領域と前記第二領域との間に、前記山見出しの配列ピッチと異なった値に設定された隙間が形成されるように、前記各山見出しの位置及び寸法が設定されている仕切カードユニット。
【請求項２】
前記隙間が、前記山見出しの配列ピッチよりも小さく設定されたものである請求項１記載の仕切カードユニット。
【請求項３】
前記隙間が、標準的な人間の親指の幅よりも大きく設定されたものである請求項１または２記載の仕切カードユニット。
【請求項４】
表紙の小口側に紐綴じ用の孔を有するファイルに、用紙とともに綴じ込んで使用することができ、
前記隙間が、前記紐綴じ用の孔に対応する部位に形成されたものである請求項１、２または３記載の仕切カードユニット。
【発明の詳細な説明】
【技術分野】
【０００１】
本発明は、相互に異なった位置に山見出しを有する所定枚数の仕切カードを具備する仕切カードユニットに関する。
【背景技術】
【０００２】
多数枚の書類用紙を綴じるファイルに綴じ込むことで書類用紙を複数のブロックに区分けし、分類や検索の効率を高めるための仕切カードユニットが周知である。
【０００３】
従来の仕切カードユニットは、相互に異なった位置に山見出しを有する複数枚の仕切カードからなる。それらを重ね合わせると、各仕切カードの山見出しが、均等なピッチで隣接配置され、仕切カード及び用紙の上端部から下端部に至る範囲に亘ってほぼ隙間なく並ぶ状態となる（例えば、下記非特許文献１を参照）。このようなものであると、山見出しが、ファイルに綴じた多数枚の用紙をぱらぱらと素早くめくるフリップ動作の妨げとなる。
【０００４】
そこで、仕切カードの最下段の部位に山見出しを設けないようにして、仕切カード及び用紙の下端部に指を掛けてフリップ動作を行い得るようにすることが考えられている（例えば、下記特許文献１を参照）。しかしながら、仕切カード及び用紙の下端部に指を掛ける場合、上下方向の中間部に指を掛ける場合と比較して、フリップ動作の困難性が増し、用紙の自重により意図に反して複数のページを繰ってしまうようなことが起こる。
【先行技術文献】
【特許文献】
【０００５】
【特許文献１】実用新案登録第３１３３１００号公報
【非特許文献】
【０００６】
【非特許文献１】“仕切カード”，コクヨ総合カタログ２０１６年版ステーショナリー編，コクヨ株式会社，平成２７年１２月，ｐ．１１０−１１１
【発明の概要】
【発明が解決しようとする課題】
【０００７】
本発明は、多数枚の用紙とともに綴じたときにその全ページをめくるフリップ動作をより容易に行い得るような仕切カードユニットを提供しようとするものである。
【課題を解決するための手段】
【０００８】
本発明では、相互に異なった位置に山見出しを有する所定枚数の仕切カードを具備する仕切カードユニットであって、前記仕切カードを重ね合わせた状態で、複数枚の仕切カードの山見出しが一定の配列ピッチで隣接配置される第一領域と、他の複数枚の仕切カードの山見出しが一定の配列ピッチで隣接配置される第二領域とが形成され、かつ前記第一領域と前記第二領域との間に、前記山見出しの配列ピッチと異なった値に設定された隙間が形成されるように、前記各山見出しの位置及び寸法が設定されている仕切カードユニットを構成した。
【０００９】
各仕切カードにおける山見出しの寸法をできるだけ大きくとろうとする場合には、前記隙間が、前記山見出しの配列ピッチよりも小さく設定される。
【００１０】
前記隙間は、標準的な人間の親指の幅よりも大きく設定されることが好ましい。
【００１１】
また、表紙の小口側に紐綴じ用の孔を有するファイルに用紙とともに綴じ込んで使用するためには、前記隙間が、前記紐綴じ用の孔に対応する部位に形成されることが好ましい。
【発明の効果】
【００１２】
本発明によれば、多数枚の用紙とともに綴じたときにその全ページをめくるフリップ動作をより容易に行い得るような仕切カードユニットが実現される。
【図面の簡単な説明】
【００１３】
【図１】本発明の一実施形態の仕切カードユニットを用紙とともにファイルに綴じ込んだ状態を示す斜視図。
【図２】同実施形態の仕切カードユニットを構成する各仕切カード及びファイルを示す分解斜視図。
【図３】同実施形態の仕切カードユニットを構成する各仕切カードを重ね合わせた状態を示す正面図。
【図４】同実施形態の仕切カードユニットを構成する各仕切カードを重ね合わせた状態を示す正面図。
【図５】本発明の変形例の一を示す正面図。
【図６】本発明の変形例の一を示す正面図。
【発明を実施するための形態】
【００１４】
本発明の一実施形態を、図面を参照して説明する。図１ないし図４に示す本実施形態の仕切カードユニットは、多数枚の用紙８とともにファイル７に綴じ込んで用いられるもので、上下方向（天地方向）に沿って互いに異なる位置に山見出し１１、２１、３１、４１、５１、６１を有している所定枚数の仕切カード１、２、３、４、５、６からなる。本実施形態にあっては、六枚の仕切カード１、２、３、４、５、６が、一組の仕切カードユニットを構成する。
【００１５】
各仕切カード１、２、３、４、５、６には、ファイル７の背表紙７３に臨む側の側端部に、上下方向に沿って間欠的に複数の挿通孔１２、２２、３２、４２、５２、６２を穿っている。挿通孔１２、２２、３２、４２、５２、６２は、ファイル７が備える綴じ具７４の綴じ足（または、綴じ桿）７４１を挿通するための孔である。そして、仕切カード１、２、３、４、５、６における、ファイル７の背表紙７３とは反対側即ち小口（前小口）側の側縁から、外方に向けて山見出し１１、２１、３１、４１、５１、６１を突出させている。図１に示すように、仕切カード１、２、３、４、５、６を用紙８とともにファイル７に綴じたとき、その山見出し１１、２１、３１、４１、５１、６１が、小口となる用紙８の側縁よりも外側方に突出して露出する。
【００１６】
図３、図４に示すように、仕切カードユニットを構成する仕切カード１、２、３、４、５、６を重ね合わせると、各仕切カード１、２、３、４、５、６に穿たれた挿通孔１２、２２、３２、４２、５２、６２の位置が合致するともに、一部の仕切カード１、２、３の山見出し１１、２１、３１が上下方向に沿って一定の配列ピッチＰで隣接配置される第一領域Ｕと、残りの仕切カード４、５、６の山見出し４１、５１、６１が上下方向に沿って一定の配列ピッチＰで隣接配置される第二領域Ｄとが形成される。具体的には、三枚の仕切カード１、２、３がそれぞれ備える三つの山見出し１１、２１、３１が、仕切カード１、２、３、４、５、６の上方（天に近い側）にある第一領域Ｕに集合し、残りの同数の仕切カード４、５、６がそれぞれ備える三つの山見出し４１、５１、６１が、仕切カード１、２、３、４、５、６の下方（地に近い側）にある第二領域Ｄに集合する。
【００１７】
そして、第一領域Ｕと第二領域Ｄとの間、ちょうど仕切カード１、２、３、４、５、６における上下方向の中央部に、山見出し１１、２１、３１、４１、５１、６１の存在しない隙間９が形成される。隙間９の上下方向に沿った寸法Ｓ、換言すれば第一領域Ｕの最下段の山見出し３１の下端と第二領域Ｄの最上段の山見出し４１の上端との間の距離は、山見出し１１、２１、３１、４１、５１、６１の配列ピッチＰ、換言すれば各山見出し１１、２１、３１、４１、５１、６１の上下方向に沿った寸法よりも狭い。この隙間９の寸法Ｓは、標準的な人間の親指０の幅Ｔよりも大きく設定する。具体的には、隙間９の寸法Ｓを最低２０ｍｍ以上、より好ましくは約２４ｍｍに設定する。
【００１８】
ファイル７に綴じた多数枚の用紙８及び仕切カード１、２、３、４、５、６の全ページを素早くぱらぱらとめくるフリップ動作を行う際には、図４に示しているように、親指０を山見出し１１、２１、３１、４１、５１、６１の存在しない隙間９の位置に掛けてページを繰るようにする。
【００１９】
また、ファイル７の表表紙７１及び裏表紙７２と仕切カード１、２、３、４、５、６とを重ね合わせて見たときに、予め表表紙７１及び裏表紙７２の小口側の側端部に穿ってある紐綴じ用の孔７０と上記の隙間９とが重なり合う。これにより、図１に示すように、表表紙７１及び裏表紙７２のそれぞれの孔７０に紐７５を通して両者を結びつけ（てファイル７が不意に開かないようにす）るときに、その紐７５が山見出し１１、２１、３１、４１、５１、６１に干渉することがない。
【００２０】
隙間９は、ファイル７に綴じた多数枚の書類用紙８を複数のグループに区分するためにも役に立つ。具体的には、用紙８を、第一領域Ｕに配置される山見出し１１、２１、３１を有する仕切カード１、２、３により区画した第一のグループと、第二領域Ｄに配置される山見出し４１、５１、６１を有する仕切カード４、５、６により区画した第二のグループとに明示的に分けることができる。ファイル７に綴じた用紙群８が隙間９を境に分かたれることで、その検索や全体的な把握が一層容易となる。
【００２１】
本実施形態では、相互に異なった位置に山見出し１１、２１、３１、４１、５１、６１を有する所定枚数の仕切カード１、２、３、４、５、６を具備する仕切カードユニットであって、前記仕切カード１、２、３、４、５、６を重ね合わせた状態で、複数枚の仕切カード１、２、３の山見出し１１、２１、３１が一定の配列ピッチＰで隣接配置される第一領域Ｕと、他の複数枚の仕切カード４、５、６の山見出し４１、５１、６１が一定の配列ピッチＰで隣接配置される第二領域Ｄとが形成され、かつ前記第一領域Ｕと前記第二領域Ｄとの間に、前記山見出し１１、２１、３１、４１、５１、６１の配列ピッチＰと異なった値の寸法Ｓの隙間９が形成されるように、前記各山見出し１１、２１、３１、４１、５１、６１の位置及び寸法が設定されている仕切カードユニットを構成した。本実施形態によれば、各仕切カード１、２、３、４、５、６を多数枚の用紙８とともにファイル７に綴じたときに、その全ページをめくるフリップ動作を、第一領域Ｕと第二領域Ｄとの間の隙間９を利用して容易に行うことができるようになる。
【００２２】
前記隙間９は、前記山見出し１１、２１、３１、４１、５１、６１の配列ピッチＰよりも小さく設定されており、山見出し１１、２１、３１、４１、５１、６１の寸法をできるだけ大きく確保することができる。
【００２３】
そして、前記隙間９は、標準的な人間の親指０の幅Ｔよりも大きく設定されているため、仕切カード１、２、３、４、５、６または用紙８における隙間９にあたる部位に親指０を掛けてフリップ動作を簡便に行うことが可能である。
【００２４】
本実施形態の仕切カードユニットは、表紙７１、７２の小口側に紐綴じ用の孔７０を有するファイル７に用紙８とともに綴じ込んで使用することができる。前記隙間９が、前記紐綴じ用の孔７０に対応する部位に形成されているため、この孔７０に紐７５を通してファイル７を閉じるときに山見出し１１、２１、３１、４１、５１、６１が邪魔にならない。
【００２５】
なお、本発明は以上に詳述した実施形態に限られるものではない。例えば、上記実施形態では、第二領域Ｄにある最下段の山見出し６１が、仕切カード１、２、３、４、５、６の下端（地）近傍に所在していたが、図５に示すように、最下段の山見出し６１を有する仕切カード６をユニットから排除し、あるいは最下段の山見出し６１を設けないこととして、第二領域Ｄに並ぶ山見出し４１、５１と仕切カード１、２、３、４、５、６及び用紙８の下端との間に指を掛けることのできる隙間Ａを設けるようにしてもよい。
【００２６】
また、上記実施形態では、第一領域Ｕと第二領域Ｄとの間の隙間９が山見出し１１、２１、３１、４１、５１、６１の配列ピッチＰよりも小さく設定されていたが、図６に示すように、隙間９を山見出しＸ１、Ｘ２、Ｘ３、Ｘ４、Ｘ５、Ｘ６、Ｘ７、Ｘ８、Ｘ９、Ｘ１０、Ｘ１１、Ｘ１２の配列ピッチＰよりも大きく設定しても構わない。図６に示している例では、都合十二枚の仕切カードＸが一組の仕切カードユニットを構成しており、それら仕切カードＸを重ね合わせたとき、六枚の仕切カードＸがそれぞれ備える六つの山見出しＸ１、Ｘ２、Ｘ３、Ｘ４、Ｘ５、Ｘ６が一定の配列ピッチＰで隣接配置される第一領域Ｕと、残りの同数の仕切カードＸがそれぞれ備える六つの山見出しＸ７、Ｘ８、Ｘ９、Ｘ１０、Ｘ１１、Ｘ１２が一定の配列ピッチＰで隣接配置される第二領域Ｄとが形成される。
【００２７】
その他、各部の具体的構成は、本発明の趣旨を逸脱しない範囲で種々変形が可能である。
【符号の説明】
【００２８】
１、２、３、４、５、６…仕切カード
１１、２１、３１、４１、５１、６１…山見出し
７…ファイル
７０…紐綴じ用の孔
８…紐
９…隙間
０…親指
Ｓ…第一領域
Ｄ…第二領域
Ｐ…山見出しの配列ピッチ
Ｓ…隙間の寸法
Ｔ…親指の幅
【図１】
2018069555.tif 000003
【図２】
2018069555.tif 000004
【図３】
2018069555.tif 000005
【図４】
2018069555.tif 000006
【図５】
2018069555.tif 000007
【図６】
2018069555.tif 000008